(57)【要約】【課題】浴槽水を便器の洗浄水として効率的に再利用することができる洗浄水給水システム、および衛生設備を提供する。【解決手段】洋風便器３と浴槽２とが配管によって接続され、浴槽２の水を洋風便器３に給水する洗浄水給水システム１であって、浴槽２または浴室の利用状態を表す利用状態情報を取得する取得部１９ｂと、取得部１９ｂが取得した利用状態情報に基づいて、浴槽２の水を利用する可能性があると判定した場合に浴槽２から洋風便器３への給水を禁止する禁止モードを備えた制御部１９ａと、を有する。【選択図】図１
2015086597.tif 000002
【特許請求の範囲】
【請求項１】
便器と浴槽とが配管によって接続され、前記浴槽の水を前記便器に給水する洗浄水給水システムであって、
前記浴槽または浴室の利用状態を表す利用状態情報を取得する取得部と、
前記取得部が取得した前記利用状態情報に基づいて、前記浴槽の水を利用する可能性があると判定した場合に前記浴槽から前記便器への給水を禁止する禁止モードを備えた制御部と、
を有することを特徴とする洗浄水給水システム。
【請求項２】
前記利用状態情報は、前記浴槽が使用されているか否かを表す浴槽使用情報であり、
前記制御部は、前記浴槽使用情報に基づいて、前記浴槽が使用されていることを判定した場合、前記禁止モードに移行する、
ことを特徴とする請求項１に記載の洗浄水給水システム。
【請求項３】
前記利用状態情報は、前記浴槽または浴室に人がいるか否かを表す人検出情報であり、
前記制御部は、前記人検出情報に基づいて、前記浴槽または浴室に人がいると判定した場合、前記禁止モードに移行する、
ことを特徴とする請求項１または請求項２いずれかに記載の洗浄水給水システム。
【請求項４】
前記制御部は、前記禁止モードのときに上水から前記便器に給水する、
ことを特徴とする請求項１から請求項３いずれか一項に記載の洗浄水給水システム。
【請求項５】
前記便器の近傍に設けられ、前記禁止モードとなった場合に、禁止モードであることを報知する報知部を有する、
ことを特徴とする請求項１から請求項４いずれか一項に記載の洗浄水給水システム。
【請求項６】
便器と浴槽とが配管によって接続され、前記浴槽の水を前記便器に給水する衛生設備であって、
前記浴槽または浴室の利用状態を表す利用状態情報を取得する取得部と、
前記取得部が取得した前記利用状態情報に基づいて、前記浴槽の水を利用する可能性があると判定した場合に前記浴槽から前記便器への給水を禁止する禁止モードを備えた制御部と、
を有することを特徴とする衛生設備。
【発明の詳細な説明】
【技術分野】
【０００１】
本発明は、洗浄水給水システムおよび衛生設備に関する。
【背景技術】
【０００２】
住宅などにおいて、浴槽と水洗式の便器とをポンプを介して接続し、浴槽内の残り湯などの水を、便器に洗浄水として給水して、便器から汚物を排出する洗浄水給水システムが知られている（例えば特許文献１、２参照）。この洗浄水給水システムは、上水の使用量を削減することを可能としながらも、便器の衛生環境の悪化を抑制することができるシステムである。
【先行技術文献】
【特許文献】
【０００３】
【特許文献１】特開２０１３−１０４２０６号公報
【特許文献２】特開２０１３−１０４２０７号公報
【発明の概要】
【発明が解決しようとする課題】
【０００４】
しかしながら、洗浄水給水システムにおいて、例えば浴槽に新しくお湯を溜めた場合に、便器の利用者が便器側から便器の洗浄の指示をしても、浴槽から洗浄水が供給されて便器が洗浄されないようにした方がよい場合もある。例えば、浴槽に新たに溜めた水は、入浴者が利用した後に便器の洗浄水として用いた方が、再利用の観点から望ましい。
【０００５】
本発明は、上記の事情を考慮してなされたものであり、浴槽水を便器の洗浄水として効率的に再利用することができる洗浄水給水システム、および衛生設備を提供することを目的とする。
【課題を解決するための手段】
【０００６】
上記課題を解決するため、本発明の洗浄水給水システムは、便器と浴槽とが配管によって接続され、前記浴槽の水を前記便器に給水する洗浄水給水システムであって、前記浴槽または浴室の利用状態を表す利用状態情報を取得する取得部と、前記取得部が取得した前記利用状態情報に基づいて、前記浴槽の水を利用する可能性があると判定した場合に前記浴槽から前記便器への給水を禁止する禁止モードを備えた制御部と、を有することを特徴とする。
【０００７】
また、本発明の洗浄水給水システムは、前記利用状態情報は、前記浴槽が使用されているか否かを表す浴槽使用情報であり、前記制御部は、前記浴槽使用情報に基づいて、前記浴槽が使用されていることを判定した場合、前記禁止モードに移行する、ことを特徴とする。
【０００８】
また、本発明の洗浄水給水システムは、前記利用状態情報は、前記浴槽または浴室に人がいるか否かを表す人検出情報であり、前記制御部は、前記人検出情報に基づいて、前記浴槽または浴室に人がいると判定した場合、前記禁止モードに移行する、ことを特徴とする。
【０００９】
また、本発明の洗浄水給水システムは、前記制御部は、前記禁止モードのときに上水から前記便器に給水する、ことを特徴とする。
【００１０】
また、本発明の洗浄水給水システムは、前記便器の近傍に設けられ、前記禁止モードとなった場合に、禁止モードであることを報知する報知部を有する、ことを特徴とする。
【００１１】
また、本発明の衛生設備は、便器と浴槽とが配管によって接続され、前記浴槽の水を前記便器に給水する衛生設備であって、前記浴槽または浴室の利用状態を表す利用状態情報を取得する取得部と、前記取得部が取得した前記利用状態情報に基づいて、前記浴槽の水を利用する可能性があると判定した場合に前記浴槽から前記便器への給水を禁止する禁止モードを備えた制御部と、を有することを特徴とする。
【発明の効果】
【００１２】
本発明によれば、制御部が、または浴室の利用状態を表す利用状態情報に基づいて、浴槽の水を利用する可能性があると判定した場合に浴槽から前記便器への給水を禁止する禁止モードを備えるようにしたので、浴槽水を便器の洗浄水として効率的に再利用することができる。
【図面の簡単な説明】
【００１３】
【図１】洗浄水給水システムの構成を示す説明図である。
【図２】制御装置１９の動作を説明するフローチャートである。
【図３】禁止モードを設定する時間帯について説明するための図である。
【図４】便器３ａの構成を示す図である。
【発明を実施するための形態】
【００１４】
以下、図面を参照して本発明の実施の形態について説明する。図１は、洗浄水給水システムの構成を示す説明図である。また、図２は、図２は、制御装置１９の動作を説明するフローチャートである。以下、図１に示す洗浄水給水システムの構成について説明し、続いて、その制御動作について図２を参照して説明する。
図１では、洋風便器３（便器）と、浴槽２と、洗浄水給水システム１とからなる衛生設備１００を示している。図１において、洗浄水給水システム１は、住宅などに設置される浴槽２内の残り湯などの水を、水洗式の便器としての洋風便器３に洗浄水として給水して、洋風便器３内から汚物を排出可能なシステムである。また、洗浄水給水システム１における制御装置１９は、浴槽２内の水を、洋風便器３に洗浄水として給水するか否かの判定を実行する（詳細後述）。
まず、洋風便器３、浴槽２、洗浄水給水システム１の順番にその構成について説明する。
【００１５】
洋風便器３は、陶磁器で構成され、かつ、図１に示すように、便鉢４と、リム５と、便鉢４と排水口６とを連通したトラップ部７とを一体に備えている。リム５は、便鉢４の上縁の内面に設けられている。
【００１６】
トラップ部７は、一端が便鉢４の底部に開口しかつ他端が排水口６に連通した通路である。トラップ部７は、便鉢４の底部に開口しかつ一端から他端に向かうにしたがって徐々に上方に向かう上昇域部７ａと、上昇域部７ａから下方に向かい排水口６に連通した下降域部７ｂとを一体に備えて、洋風便器３を所謂サイホン洗い落とし形式の便器としている。
【００１７】
浴槽２は、浴槽２内の水を浴槽２外へ供給可能な吸込口１０と、一方の端部が吸込口１０に連結され、他方の端部がポンプ１３に連結された連結配管１２と、連結配管１２に連結されたポンプ１３とを備えている。ポンプ１３は、制御装置１９からの駆動信号に基づいて駆動することで、連結配管１２を介して吸込口１０から吸い込んだ浴槽２内の水を、リム側給水配管３１、リム用給水管１５を介して、洋風便器３のリム５の内面に供給する。
【００１８】
また、図１に示すように、照度センサ５１、人体検知センサ５２、温度センサ５３が設けられる。
照度センサ５１は、浴槽２が設置される浴室内の照度を検出する。この照度センサ５１は、例えば浴室内の設置された照明装置の近傍に設けられる。照度センサ５１の検出結果は、制御装置１９に入力される。
人体検知センサ５２は、例えばドップラーセンサであり、送信器から対象物（ここでは浴槽２内）に向けマイクロ波を発射し、反射されたマイクロ波を受信することによって対象物を検出するセンサである。人体検知センサ５２の検出結果は、制御装置１９に入力される。
温度センサ５３は、サーミスタなど温度に応じて抵抗値が変化するセンサであり、浴槽２内の水の温度を検出する。温度センサ５３の検出結果は、制御装置１９に入力される。なお、温度センサ５３は、浴槽２内の水の温度が検出できれば、浴槽２の内周面に設けられてもよいし、浴槽２に連結され、浴槽２内の水が供給される配管に設けられてもよい。
【００１９】
洗浄水給水システム１は、図１に示すように、給水管としてのリム用給水管１５と、上水給水部１６と、浴槽内水給水部１７と、スイッチ装置１８と、制御装置１９とを備えている。
リム用給水管１５は、一端が洋風便器３のリム５に連結されて、洋風便器３に連結されている。リム用給水管１５は、上水給水部１６及び浴槽内水給水部１７から給水される洗浄水をリム５の内面に導いて、洋風便器３に給水する。
【００２０】
上水給水部１６は、上水管２０と、開閉弁としてのリム用開閉弁２１と、開放弁としてのリム用バキュームブレーカ２３と、リム側連結配管２５とを備えている。
上水管２０は、上水道からの上水が給水される。上水管２０は、リム用開閉弁２１に連結され、上水道からの上水を、洗浄水として、リム用開閉弁２１、リム側連結配管２５、リム用バキュームブレーカ２３及びリム用給水管１５を介して、洋風便器３に給水する。
また、リム用開閉弁２１は、上水管２０と、リム側連結配管２５の一端とが連結されて、上水管２０とリム用給水管１５との間に設けられている。リム用開閉弁２１は、上水管２０からリム側連結配管２５を介してリム用給水管１５に亘る上水の流路を開閉する。
また、リム用バキュームブレーカ２３は、リム側連結配管２５の他端と、リム用給水管１５の他端とが連結されている。こうして、リム用バキュームブレーカ２３は、上水管２０とリム用給水管１５との間でかつリム用開閉弁２１よりも洋風便器３寄りに設けられている。リム用バキュームブレーカ２３は、リム側連結配管２５内の上水の圧力がリム用給水管１５内の水の圧力よりも低下しても即ちリム側連結配管２５や上水管２０側が負圧となっても、リム用給水管１５内の水がリム側連結配管２５や上水管２０側に逆流することを防止する。
また、リム側連結配管２５は、一端がリム用開閉弁２１に連結し他端がリム用バキュームブレーカ２３に連結されている。
【００２１】
以上の構成により、上水給水部１６は、リム用開閉弁２１が開くと、上水管２０からの上水をリム側連結配管２５、リム用バキュームブレーカ２３及びリム用給水管１５を介して、洋風便器３のリム５の内面から洋風便器３の周方向に給水する。上水給水部１６は、洋風便器３の便鉢４の内面において、上水を周方向に流して、上水により洋風便器３の便鉢４の内面を洗浄する。
【００２２】
このように、上水給水部１６は、リム用給水管１５等を介して洋風便器３に連結されて、洗浄水としての上水を、リム用給水管１５等を介して洋風便器３に給水する。また、上水給水部１６は、前述したリム用開閉弁２１を備えて、洋風便器３のリム５に洗浄水としての浴槽２内の水を給水可能である。このように、本実施形態の洋風便器３は、上水道からの上水を一旦タンクなどに溜めることのない、所謂、タンクレス洋風便器となっている。
【００２３】
次に、浴槽内水給水部１７は、前述したポンプ１３と、配管２８と、流量検出手段としての流量計２９と、リム側給水配管３１とを備えている。
配管２８は、一端がポンプ１３に連結され、他端が流量計２９に連結している。この配管２８の一部は、洋風便器３よりも高い位置まで立ち上げられている。
流量計２９は、配管２８の他端側に設けられ、配管２８内を流れる水により回転される羽根車などを備えて、配管２８内の水の流量を検出する。流量計２９は、検出した配管２８内の水の流量を示す流量信号を、制御装置１９に対して出力する。
また、リム側給水配管３１は、一端が流量計２９に連結され、他端がリム用給水管１５の経路の一部に連結している。
【００２４】
このように、リム側給水配管３１がリム用給水管１５に連結されることで、浴槽内水給水部１７は、上水給水部１６のリム用開閉弁２１及びリム用バキュームブレーカ２３よりもリム用給水管１５の洋風便器３側に連結している。
【００２５】
次に、スイッチ装置１８は、洋風便器３の便鉢４の側方の住宅内壁面などに設けられ、洗浄水を洋風便器３に供給する指示の入力を受けつける。
制御装置１９は、図示しないＲＡＭ、ＲＯＭ、ＣＰＵ、入出力ポートなどを備えた演算装置である。制御装置１９の入力ポートには、流量計２９、スイッチ装置１８、照度センサ５１、人体検知センサ５２、温度センサ５３が接続される。また、制御装置１９の出力ポートには、リム用開閉弁２１、リム用バキュームブレーカ２３、ポンプ１３が接続されている。
【００２６】
制御装置１９は、制御部１９ａおよび取得部１９ｂを有している。取得部１９ｂは、浴槽２または浴槽２が配置される浴室の利用状態を表す利用状態情報（スイッチ装置１８の出力信号、照度センサ５１のセンサ値、人体検知センサ５２のセンサ値、温度センサ５３のセンサ値）を取得し、制御部１９ａに対して出力する。
制御部１９ａは、取得部１９ｂが取得した利用状態情報に基づいて、浴槽２の水を利用する可能性があると判定した場合に、浴槽２から洋風便器３への給水を禁止する禁止モードを備える。また、制御部１９ａは、禁止モードの他に、浴槽２の水を洋風便器３に供給する浴槽水利用モードや、上水を洋風便器３に給水する上水モードを備えており、利用状況情報に応じて、禁止モード、浴槽水利用モード、上水モードのいずれかのモードへ移行する。
【００２７】
ここで、利用状態情報は、浴槽が使用されているか否かを表す浴槽使用信号（浴槽使用情報）であり、制御装置１９は、当該浴槽使用信号に基づいて、浴槽２が使用されていることを判定した場合、上水から浴槽内の水へと切り替える制御を行わない。浴槽が使用されているか否かを表す浴槽使用信号とは、本実施形態では、照度センサ５１の検出結果と人体検知センサ５２の検出結果とである。
制御装置１９は、照度センサ５１の検出結果に基づいて、上水から浴槽内の水へと切り替える制御を行うか否かを判定する。制御装置１９は、照度センサ５１の検出照度が所定の照度未満である場合には、浴室の照明が消灯され、浴槽２を利用している人がいないと判定する。一方、制御装置１９は、照度センサ５１の検出照度が所定の照度以上である場合には、浴室の照明が点灯され、浴槽２を利用している人がいると判定する。なお、照度センサ５１に代えて、浴室の照明装置をオン（点灯）またはオフ（消点）する信号（浴槽の利用者が入力する信号）を、検出信号として用いてもよい。すなわち、制御装置１９は、浴室の照明装置がオフしている場合、浴室の照明が消灯され、浴槽２を利用している人がいないと判定する。一方、制御装置１９は、浴室の照明装置がオンしている場合、浴室の照明が点灯され、浴槽２を利用している人がいると判定する。
【００２８】
また、制御装置１９は、人体検知センサ５２の検出結果に基づいて、上水から浴槽内の水へと切り替える制御を行うか否かを判定する。制御装置１９は、人体検知センサ５２の検出結果が所定の閾値以上である場合には、浴槽２を利用している人がいると判定する。一方、制御装置１９は、人体検知センサ５２の検出結果が所定の閾値未満である場合には、浴槽２を利用している人がいないと判定する。
【００２９】
また、利用状態情報は、浴槽２が使用される可能性があるか否かを表す浴槽使用可能性信号（人検出情報）であり、制御装置１９は、当該浴槽使用可能性信号に基づいて、浴槽２が使用される可能性があると判定した場合、上水から浴槽内の水へと切り替える制御を行わない。浴槽２が使用される可能性があるか否かを表す浴槽使用可能性信号とは、本実施形態では、温度センサ５３の検出結果と浴槽２に湯張りしてからの経過時間とである。
制御装置１９は、温度センサ５３の検出結果に基づいて、上水から浴槽内の水へと切り替える制御を行うか否かを判定する。制御装置１９は、温度センサ５３の検出結果が所定の温度以上である場合には、浴槽２が使用される可能性があると判定する。一方、制御装置１９は、温度センサ５３の検出結果が所定の温度未満である場合には、浴槽２が使用される可能性がないと判定する。
【００３０】
また、制御装置１９は、浴槽２が湯張りされてからの経過時間を内部のタイマにより、湯張りが完了してからの経過時間を計測しており、当該経過時間に基づいて、上水から浴槽内の水へと切り替える制御を行うか否かを判定する。制御装置１９は、湯張りが完了してからの経過時間が所定時間（例えば３０分）未満である場合には、浴槽２が使用される可能性があると判定する。一方、制御装置１９は、湯張りが完了してからの経過時間が所定時間以上である場合には、浴槽２が使用される可能性がないと判定する。
【００３１】
このように、制御装置１９は、浴槽２の状態を検出する利用状態情報に基づいて、上水から浴槽内の水へと切り替えるか否かを決定する。本実施形態では、制御装置１９は、浴槽使用信号に基づいて浴槽２が使用されていることを判定した場合と、浴槽使用可能性信号に基づいて浴槽２が使用される可能性があると判定した場合とでは、上水から浴槽内の水へと切り替える制御を行わない。一方、制御装置１９は、浴槽使用信号に基づいて浴槽２が使用されていないことを判定し、かつ、浴槽使用可能性信号に基づいて浴槽２が使用される可能性がないと判定した場合、上水から浴槽内の水へと切り替える制御を行う。
【００３２】
また、制御装置１９は、後述するように、浴槽内水給水部１７から洋風便器３に給水して洋風便器３内の汚物を排出する動作を行なうとともに、汚物の排出動作完了後に、上水給水部１６から洋風便器３に給水する制御を行う。これにより、上水により洋風便器３の底部に封水Ｈが形成される。なお、本実施形態では、浴槽内水給水部１７から洋風便器３に給水して洋風便器３内の汚物を排出する動作を行なう際、浴槽内水給水部１７のみから洋風便器３に給水するできない場合、例えば、浴槽内水給水部１７から洋風便器３に給水している最中に浴槽２内の水がなくなった場合、その後に上水給水部１６から洋風便器３に給水する。また、浴槽内水給水部１７内の水がない場合には、上水給水部１６のみから洋風便器３に給水する。
【００３３】
続いて、洗浄水給水システム１の制御動作について図２を参照して説明する。図２は、制御装置１９の動作を説明するフローチャートである。制御装置１９は、図２のフローチャートに示す処理を繰り返し実行する。
制御装置１９は、スイッチ装置１８から洗浄する動作を開始するための信号が入力したか否かを判定する（ステップＳ１）。制御装置１９は、スイッチ装置１８から洗浄する動作を開始するための信号が入力していないと判定すると（ステップＳ１−Ｎｏ）、ステップＳ１を繰り返す。一方、制御装置１９は、スイッチ装置１８から洗浄する動作を開始するための信号が入力していると判定すると（ステップＳ１−Ｙｅｓ）、ステップＳ２に進む。
【００３４】
ステップＳ２では、制御装置１９は、照明が点灯中であるか否かを判定する。制御装置１９は、照度センサ５１の検出照度が所定の照度未満である場合には、浴室の照明が消灯され、浴槽２を利用している人がいないと判定し（ステップＳ２−Ｎｏ）、ステップＳ３に進む。一方、制御装置１９は、照度センサ５１の検出照度が所定の照度以上である場合には、浴室の照明が点灯され、浴槽２を利用している人がいると判定し（ステップＳ２−Ｙｅｓ）、ステップＳ１に戻る。
【００３５】
ステップＳ３では、制御装置１９は、浴室に人がいるか否かを判定する。制御装置１９は、人体検知センサ５２の検出結果が所定の閾値以上である場合には、浴槽２を利用している人がいると判定し（ステップＳ３−Ｙｅｓ）、ステップＳ１に戻る。一方、制御装置１９は、人体検知センサ５２の検出結果が所定の閾値未満である場合には、浴槽２を利用している人がいないと判定し（ステップＳ３−Ｎｏ）、ステップＳ４に進む。
【００３６】
ステップＳ４では、制御装置１９は、浴槽内の水の温度は所定温度以上か否かを判定する。制御装置１９は、温度センサ５３の検出結果が所定の温度以上である場合には、浴槽２が使用される可能性があると判定し（ステップＳ４−Ｙｅｓ）、ステップＳ１に戻る。一方、制御装置１９は、温度センサ５３の検出結果が所定の温度未満である場合には、浴槽２が使用される可能性がないと判定し、ステップＳ５に進む。
【００３７】
ステップＳ５では、制御装置１９は、浴槽２を湯張りしてから所定期間が経過したか否かを判定する。制御装置１９は、湯張りが完了してからの経過時間が所定時間未満である場合には、浴槽２が使用される可能性があると判定し、ステップＳ１に進む。一方、制御装置１９は、湯張りが完了してからの経過時間が所定時間以上である場合には、浴槽２が使用される可能性がないと判定し、ステップＳ６に進む。
【００３８】
ステップＳ２〜Ｓ５において、制御装置１９は、浴槽２が使用されていると判定した場合（ステップＳ２−Ｙｅｓ、ステップＳ３−Ｙｅs）と、浴槽２が使用される可能性があると判定した場合（ステップＳ４−Ｙｅｓ、ステップＳ３−Ｎｏ）とでは、禁止モードに移行し、上水から浴槽内の水へと切り替える制御を行わない。一方、制御装置１９は、浴槽２が使用されていないと判定し（ステップＳ２−Ｎｏ、ステップＳ３−Ｎｏ）、かつ、浴槽２が使用される可能性がないと判定した場合（ステップＳ４−Ｎｏ、ステップＳ３−Ｙｅｓ）、ステップＳ６に進み、浴槽水利用モードによって、上水から浴槽内の水へと切り替える制御を行う。
【００３９】
続いて、制御装置１９は、浴槽２内の水を洋風便器３へ給水する（ステップＳ６）。制御装置１９は、リム用開閉弁２１を閉じて、ポンプ１３を駆動して、吸込口１０を通して浴槽２内の水を吸い込む。そして、制御装置１９は、浴槽２内の水をリム５の内面から洋風便器３の周方向に給水する。即ち、洋風便器３の便鉢４の内面は浴槽２内の水により洗浄される。
【００４０】
次に、制御装置１９は、給水中に流量計２９が水量を検知しているか否かを判定する（ステップＳ７）。制御装置１９は、流量計２９が水量を検知している場合、流量計２９が検出した配管２８内の水の流量を示す流量信号に基いて、流量計２９が配管２８内の水の流れを検出しているか否か、即ち浴槽２内の水が洋風便器３に給水されているか否かを判定する。制御装置１９は、流量計２９が水の流れを検出していると判定した場合（ステップＳ７−Ｙｅｓ）、ステップＳ８に進む。一方、制御装置１９は、流量計２９が水の流れを検出していないと判定した場合（ステップＳ７−Ｎｏ）、ステップＳ９に進む。
【００４１】
ステップＳ８では、制御装置１９は、浴槽２内の水が洋風便器３に所定量給水されたか否かを判定する。制御装置１９は、流量計２９が検出した配管２８内の水の流量を示す流量信号（流量の積算値）に基いて、リム５に便鉢４の内面を洗浄するのに十分でかつ汚物をトラップ部７から排水口６を通して排出するのに十分な所定量（予め設定された流量）の洗浄水として、浴槽２内の水が給水されたか否かを、所定の基準値と比較することで判定する。制御装置１９は、所定量の浴槽２内の水が給水されていないと判定した場合（ステップＳ８−Ｎｏ）、ステップＳ６に戻る。一方、制御装置１９は、所定量の浴槽２内の水が給水されたと判定した場合（ステップＳ８−Ｙｅｓ）、ステップＳ１３に進む。こうして、制御装置１９は、所定量の浴槽２内の水が給水されるまで、ステップＳ６からステップＳ８を繰り返す。これにより、リム５への給水による便鉢４の内面の洗浄と汚物のトラップ部７からの排出動作が完了する。
【００４２】
ステップＳ９では、制御装置１９は、上水を洋風便器３に給水する。制御装置１９は、ステップＳ６からステップＳ８を繰り返している間に浴槽２内の水が洋風便器３に給水されなくなったと判定する（ステップＳ７−Ｎｏ）。制御装置１９は、ポンプ１３を停止し、リム用開閉弁２１を開き、上水道からの上水をリム５の内面に給水する。
【００４３】
続いて、ステップＳ１０では、制御装置１９は、浴槽２内の水と上水とを合わせた、前述の所定量の洗浄水が洋風便器３に給水されたか否かを、所定の基準値と比較することで判定する。制御装置１９は、合わせた所定量の洗浄水が洋風便器３に給水されていないと判定した場合、ステップＳ９に戻る。一方、制御装置１９は、合わせた所定量の洗浄水が洋風便器３に給水されたと判定すると、ステップＳ１１に進む。こうして、制御装置１９は、合わせた所定量の洗浄水が洋風便器３に給水されるまで、ステップＳ９及びステップＳ１０を繰り返す。これにより、リム５への給水による便鉢４の内面の洗浄と汚物のトラップ部７からの排出動作が完了する。
【００４４】
このように、制御装置１９は、ステップＳ６からステップＳ１０の間には、上水給水部１６と浴槽内水給水部１７とのうちの少なくとも一方から、或いは浴槽内水給水部１７および上水給水部１６からこの順番に洋風便器３に給水する。
【００４５】
ステップＳ１１では、制御装置１９は、上水を封水として供給する。制御装置１９は、リム用開閉弁２１を開いて、上水をリム５の内面即ち洋風便器３に給水する。こうして、制御装置１９は、汚物のトラップ部７からの排出動作が完了した後に、リム５の内面即ち洋風便器３に給水する。上水が洋風便器３の底部に溜まり、洋風便器３の底部に封水Ｈが形成される。
【００４６】
次に、制御装置１９は、封水Ｈとして十分な第２の所定量の上水が給水されたか否かを、所定の基準値と比較することで判定する（ステップＳ１２）。制御装置１９は、封水Ｈとして十分な第２の所定量の上水が給水されていないと判定した場合（ステップＳ１２−Ｎｏ）、ステップＳ１１に戻る。一方、制御装置１９は、封水Ｈとして十分な第２の所定量の上水が、給水されたと判定した場合（ステップＳ１２−Ｙｅｓ）、リム用開閉弁２１を閉じて、ステップＳ１に戻る。
【００４７】
ステップＳ１３では、制御装置１９は、上水を封水として供給する。制御装置１９は、所定量の浴槽２内の水が給水されたと判定した場合（ステップＳ８−Ｙｅｓ）、ポンプ１３を停止し、リム用開閉弁２１を開き、上水をリム５の内面即ち洋風便器３に給水する。こうして、制御装置１９は、汚物のトラップ部７からの排出動作が完了した後に、リム５の内面即ち洋風便器３に給水する。上水が洋風便器３の底部に溜まり、洋風便器３の底部に封水Ｈが形成される。
【００４８】
次に、制御装置１９は、封水Ｈとして十分な第２の所定量の上水が給水されたか否かを、所定の基準値と比較することで判定する（ステップＳ１４）。制御装置１９は、封水Ｈとして十分な第２の所定量の上水が給水されていないと判定した場合（ステップＳ１４−Ｎｏ）、ステップＳ１３に戻る。一方、制御装置１９は、封水Ｈとして十分な第２の所定量の上水が、給水されたと判定した場合（ステップＳ１４−Ｙｅｓ）、リム用開閉弁２１を閉じて、ステップＳ１に戻る。
【００４９】
このように、洗浄水給水システム１は、洋風便器３と浴槽２とが配管によって接続され、浴槽２の水を洋風便器３に給水する洗浄水給水システムである。洗浄水給水システム１は、制御装置１９（取得部１９ｂと制御部１９ａ）を有する。取得部１９ｂは、浴槽２または浴室の利用状態を表す利用状態情報を取得する。制御部１９ａは、取得部１９ｂが取得した利用状態情報に基づいて、浴槽２の水を利用する可能性があると判定した場合に浴槽２から洋風便器３への給水を禁止する禁止モードを備える。
利用状態情報は、浴槽が使用されているか否かを表す浴槽使用信号（照度センサ５１の検出結果と人体検知センサ５２の検出結果）、または、浴槽２が使用される可能性があるか否かを表す浴槽使用可能性信号（温度センサ５３の検出結果と浴槽２に湯張りしてからの経過時間）である。
制御装置１９は、浴槽２が使用されていることを判定した場合と、浴槽２が使用される可能性があると判定した場合とでは、上水から浴槽内の水へと切り替える制御を行わない。
そのため、浴槽に新たに溜めた水が、浴槽の利用者に用いられることなく、便器の洗浄水として用いられることはない。つまり、入浴者が利用した後に便器の洗浄水として用いることができる。また、便器の利用者が便器側から便器の洗浄の指示をするときに、浴槽の利用者が浴槽を現に使用している場合、浴槽水が便器に洗浄水として供給されてしまうことはない。つまり、浴槽の利用者に対して不快感などを与えることはない。このように、本発明によれば、浴槽水を便器の洗浄水として効率的に再利用することができる、また、浴槽の使用者の利便性を向上させることができる。
【００５０】
また、制御装置１９が汚物の排出動作完了後に上水給水部１６から給水させる。このために、汚物の排出動作完了後に洋風便器３の底部に溜められる所謂封水Ｈが、上水給水部１６からの上水のみで構成されることとなる。したがって、洋風便器３を長時間使用しない場合であっても、封水Ｈに雑菌が繁殖することを抑制することができる。よって、上水の使用量を削減することを可能としながらも、洋風便器３の衛生環境の悪化を抑制することができる。
【００５１】
また、洗浄水給水システム１では、汚物の排出動作完了前には、浴槽内水給水部１７と上水給水部１６とのうち少なくとも一方に給水させることで、汚物の排出動作を行なう。このために、汚物の排出動作に用いられる洗浄水として、浴槽２内に残り湯などが溜まっている場合には、洗浄水として浴槽２内の水を用いることができ、浴槽２内に残り湯などが溜まっていない場合には、洗浄水として上水を用いることができる。したがって、汚物の排出動作に、浴槽２内の水を用いることができるので、上水の使用量を削減することを可能とすることができる。
【００５２】
また、洗浄水給水システム１では、浴槽内水給水部１７が上水給水部１６よりもリム用給水管１５の洋風便器３側に連結しているので、浴槽内水給水部１７が、洗浄水としての浴槽２内の水を、直接、洋風便器３に洗浄水として給水することができる。したがって、薬剤を添加することなく、洗浄水として用いる残り湯などの浴槽２内の水を長期に亘って溜めておくことを抑制することができて、雑菌が繁殖することを抑制することができる。したがって、上水の使用量を削減することを可能としながらも、コストの高騰と洋風便器３の衛生環境の悪化を抑制することができる。
【００５３】
また、洗浄水給水システム１では、上水給水部１６の上水管２０とリム用給水管１５とに亘る流路を開閉可能なリム用開閉弁２１よりもリム用給水管１５の洋風便器３側に浴槽内水給水部１７が連結しているので、リム用開閉弁２１により、上水給水部１６の上水管２０と浴槽内水給水部１７とを確実に分離することができる。
【００５４】
また、洗浄水給水システム１では、リム用開閉弁２１の洋風便器３側に設けられたリム用バキュームブレーカ２３よりも更にリム用給水管１５の洋風便器３側に浴槽内水給水部１７が連結しているので、リム用バキュームブレーカ２３により、上水給水部１６の上水管２０などが負圧となっても、リム用バキュームブレーカ２３を超えて、浴槽２内の水が上水管２０などに逆流することを防止できる。
【００５５】
また、洗浄水給水システム１では、洋風便器３が上水道からの上水を一旦タンクなどに溜めることのない所謂タンクレス洋風便器となっており、浴槽内水給水部１７が、洗浄水としての浴槽２内の水を、直接、洋風便器３に洗浄水として給水することができるので、タンク内での雑菌の繁殖を確実に防止することができ、洋風便器３の衛生環境の悪化を確実に抑制することができる。なお、本実施形態では、上水給水部１６がリム５のみに上水を供給可能としたが、ジェット孔を有する便器にも適用することができる。ジェット孔は、トラップ部７の一端と相対する便鉢４の底面に設けられ、トラップ部７の上昇域部７ａに向けて洗浄水を流出させる。便器は、ジェット孔から洗浄水が流出されることで、トラップ部７に所謂サイホン効果を生じて、汚物を排出する。本発明では、上水給水部１６がリム５とジェット孔との双方に上水を供給可能としても良い。
【００５６】
なお、上述した本発明の実施形態に係る洗浄水給水システム１は、上述した実施形態や
変形例に限定されず、特許請求の範囲に記載された範囲で種々の変更が可能である。
【００５７】
例えば、上述した制御装置１９による、浴槽の状態を検出する利用状態情報に基づいて、禁止モードへ移行するか否かの決定において、以下に説明する変形例を用いてもよい。
例えば、スイッチ装置１８の構成を、浴槽２の水を使用する場合、オン信号またはオフ信号のいずれか一方の信号を入力し、浴槽２の水を使用しない場合、オン信号またはオフ信号の他方の信号を入力する構成としてもよい。浴槽２の水を使用する場合、スイッチ装置１８に便器の使用者が、オン信号またはオフ信号のいずれか一方の信号を入力すると、制御装置１９により、浴槽の状態を検出する利用状態情報に基づいて、上水から浴槽内の水へと切り替えるか否かの決定が行われる。浴槽２の水を使用しない場合、スイッチ装置１８に便器の使用者が、オン信号またはオフ信号の他方の信号を入力すると、制御装置１９により、上水のみにより便器の洗浄が行われる構成としてもよい。
【００５８】
また、浴槽２を使用する可能性があるか否かを判定するため、濁度計または水圧センサーを用いて検出結果を制御装置１９に入力する構成としてもよい。
濁度計は、測定対象水（浴槽２内の水）に光を照射し、その透過光を検出したり、表面散乱光、前方散乱光又は後方散乱光を検出することにより濁度を検出する。この濁度計は、制御装置１９に接続され、検出結果を制御装置１９に対して出力する。
制御装置１９は、濁度計の検出結果が所定の濁度未満である場合には、浴槽２が使用される可能性があると判定する。一方、制御装置１９は、濁度計の検出結果が所定の濁度以上である場合には、浴槽２が使用される可能性がないと判定する。
【００５９】
水圧センサは、浴槽２内の水位を水圧により検出する水位センサを用いて実現できる。
この水圧センサは、制御装置１９に接続され、検出結果を制御装置１９に対して出力する。制御装置１９は、水圧センサの検出結果が所定の水圧以上である場合には、浴槽２内の水の水位が所定の水位以上であり、浴槽２が使用される可能性があると判定する。一方、制御装置１９は、水圧センサの検出結果が所定の水圧未満である場合には、浴槽２内の水の水位が所定の水位未満であり、浴槽２が使用される可能性がないと判定する。
なお、これらの浴槽２を使用する可能性があるか否かの判定処理は、図２に示すステップＳ１とＳ６との間のいずれのタイミングで行ってもよい。
【００６０】
また、制御装置１９は、浴槽２に水を溜めて浴槽２を使用するある一日のうち、所定の期間、例えば夜の８時から１０時までの間、スイッチ装置１８を操作して、浴槽２の水を使用することを表す信号を入力しても、浴槽２の水を使用せず、上水を洋風便器３に供給する構成としてもよい。例えば、図３は、禁止モードを設定する時間帯について説明するための図である。図３においては、横方向に一日の時間帯を、縦方向に浴槽２の水の推移を示している。睡眠中の０時から４時の時間帯では、浴槽２の水が用いられることなく、水位は一定である。６時に、浴槽２の水が洋風便器３（洋風便器３）および洗濯の洗浄水として用いられ、浴槽２の水位が下がる。８時、および１６時に、洋風便器３の洗浄水として用いられ、浴槽２の水位が下がる。１８時に浴槽２の水が自動排水され、水位が０となる。この後、浴槽２に使用者が浴槽２に湯張りする。そして、入浴することが予定されている時間帯（２０時〜２２時）には、上述禁止モードを設定する構成としてよい。この時間帯では、浴槽２の水が洋風便器３の洗浄水として使用されることはない。この時間帯以外は禁止モードを解除する構成としてよい。図３においては、入浴時間帯が終了すると、まずトイレの使用の際は、禁止モードが解除されているので、浴槽２の水が洋風便器３の洗浄水として用いられ、浴槽２の水位が下がる。
【００６１】
また、図１に示すように、禁止モードとなった場合に、禁止モードであることを報知する報知部６１を、洋風便器３の近傍に設けてもよい。
【００６２】
また、実施形態の説明では、洋風便器３をタンクレス洋風便器として説明したが、便器は、図４に示すタンク式便器であってもよい。図４は、便器３ａの構成を示す図である。便器３ａは、その底部に上水を蓄えるタンク７１と、タンク７１に蓄えられた入水を便器のリムの内面へと立ち上げるポンプ７２とを有している。洗浄水給水システムの構成として、便器以外の他の部分は、上述した洗浄水給水システム１の構成と同様である。例えば、制御装置が、浴槽側に設けられるポンプ（図１に示すポンプ１３）と、ポンプ７２とを切り替えて、浴槽からの水と上水とを切り替える構成となっている。また、制御装置は、浴槽の水を利用する可能性があると判定した場合に浴槽から便器３ａへの給水を禁止する禁止モードを備えている。
【符号の説明】
【００６３】
１…洗浄水給水システム、２…浴槽、３…洋風便器、５…リム、１６…上水給水部、１７…浴槽内水給水部、１９…制御装置、Ｈ…封水、５１…照度センサ、５２…人体検知センサ、５３…温度センサ
【図１】
2015086597.tif 000003
【図２】
2015086597.tif 000004
【図３】
2015086597.tif 000005
【図４】
2015086597.tif 000006